(57)【要約】【課題】鹿や猪等の大型動物や、犬や猫やタヌキ等の小動物が高速道路等のエリア内に侵入するのを防止する動物侵入防止用フェンスを提供する。【解決手段】所定間隔で立設した各支柱１、１間に、小動物の通り抜けを防止する下部パネル３を取り付けるとともに、この下部パネル３の上側には大型動物の頭部の通過が不可能な幅の縦柵からなる上部パネル４を取り付けた。また、前記下部パネル３の下端部を地中に埋設して下部パネル３の下端と地面との隙間をなくした。また、前記上部パネル４の両側端部には、取り付け位置の調整部を形成したものとした。【選択図】図１
0003152584.tif 000002
【実用新案登録請求の範囲】
【請求項１】
所定間隔で立設した各支柱間に、小動物の通り抜けを防止する下部パネルを取り付けるとともに、この下部パネルの上側には大型動物の頭部の通過が不可能な幅の縦柵からなる上部パネルを取り付け、また前記下部パネルの下端部を地中に埋設して下部パネルの下端と地面との隙間をなくしたことを特徴とする動物侵入防止用フェンス。
【請求項２】
上部パネルの両側端部には、他の部分の幅よりも狭い間隔で縦柵を設けた取り付け位置の調整部が形成されている請求項１に記載の動物侵入防止用フェンス。
【請求項３】
下部パネルは、小動物の通り抜けを防止可能な縦柵状のもの、あるいは細かい菱形網目である請求項１または２に記載の動物侵入防止用フェンス。
【請求項４】
隣接する２つのパネルの側端部分は、Ｕ字ボルトにより支柱に固定されている請求項１〜３のいずれかに記載の動物侵入防止用フェンス。
【請求項５】
１本の支柱に上部パネルと下部パネルが取り付けられている請求項１〜４のいずれかに記載の動物侵入防止用フェンス。
【請求項６】
下部パネル取り付け用の支柱に、上部パネル取り付け用の補助支柱が連結され、この補助支柱に上部パネルが取り付けられている請求項１〜４のいずれかに記載の動物侵入防止用フェンス。
【考案の詳細な説明】
【技術分野】
【０００１】
本考案は、鹿や猪等の大型動物や、犬や猫やタヌキ等の小動物が高速道路等のエリア内に侵入するのを防止するための動物侵入防止用フェンスに関するものである。
【背景技術】
【０００２】
従来から、山間部を切り開いて設けた高速道路等においては、付近に住んでいた野生の鹿や猪等の大型動物、あるいは犬や猫やタヌキ等の小動物が道路内へ侵入し、これに起因する事故等が多発している。そこで、これらの動物が高速道路内に入らないようにするため動物侵入防止用フェンスを設置しているのが普通であるが、形式的にフェンスがあるのみでは動物の侵入を的確に防止できないことがわかってきた。
【０００３】
つまり、大型動物はフェンスを飛び越えて侵入禁止エリア内に入って来る。一方、小動物はフェンス自体の柵の隙間やフェンス下端部と地上との隙間を通過して侵入禁止エリア内に入って来る。従って、大型動物に対しては、フェンスの高さを高く設置することや、特許文献１に示されるように、フェンス上部に有刺鉄線を取り付けたりして対応することが提案されている。また、小動物に対しては、パネルの網目を細かい菱形網目として通過できなくすることや、特許文献２に示されるように、フェンス下端部と地上との隙間を細かい菱形網目からなる金網製の垂れ（エプロン）で塞ぐことが提案されている。
【０００４】
しかしながら、高速道路ではフェンスの設置を必要とする距離が非常に長いため、フェンスの高さを無条件に高くするということや、全面にわたって値段の高い菱形網目のパネルを用いることは多大の費用が必要になるという問題点があった。また、有刺鉄線を取り付けることは作業性が悪いうえに、動物に怪我を負わせるおそれもあるという問題点があった。更には、パネルを取り付ける支柱の間隔に誤差がある場合、現場での寸法調整が難しく組立作業に長時間要するという問題点もあった。
【先行技術文献】
【特許文献】
【０００５】
【特許文献１】特開２００４−９２３８８号公報
【特許文献２】特開２００１−３３６３１５号公報
【考案の概要】
【考案が解決しようとする課題】
【０００６】
本考案は上記のような問題点を解決して、鹿や猪等の大型動物や、犬や猫やタヌキ等の小動物が高速道路等のエリア内に侵入するのを確実に防止することでき、また設置費用をできるだけ少なくすることができ、更には現場での組立作業も簡単かつ効率的に行うことができる動物侵入防止用フェンスを提供することを目的として完成されたものである。
【課題を解決するための手段】
【０００７】
上記課題を解決するためになされた本考案動物侵入防止用フェンスは、所定間隔で立設した各支柱間に、小動物の通り抜けを防止する下部パネルを取り付けるとともに、この下部パネルの上側には大型動物の頭部の通過が不可能な幅の縦柵からなる上部パネルを取り付け、また前記下部パネルの下端部を地中に埋設して下部パネルの下端と地面との隙間をなくしたことを特徴とするものである。
【０００８】
また、前記上部パネルの両側端部には、他の部分の幅よりも狭い間隔で縦柵を設けた取り付け位置の調整部が形成されているものとすることができ、これを請求項２に係る考案とする。
【０００９】
前記下部パネルは、小動物の通り抜けを防止可能な縦柵状のもの、あるいは細かい菱形網目とすることができ、これを請求項３に係る考案とする。
【００１０】
隣接する２つのパネルの側端部分は、Ｕ字ボルトにより支柱に固定されており、これを請求項４に係る考案とする。
【００１１】
更に、１本の支柱に上部パネルと下部パネルが取り付けられているものとすることや、下部パネル取り付け用の支柱に、上部パネル取り付け用の補助支柱が連結され、この補助支柱に上部パネルが取り付けられているものとすることができ、各々請求項５および請求項６に係る考案とする。
【考案の効果】
【００１２】
請求項１に係る考案では、小動物の通り抜けを防止する下部パネルと大型動物の頭部の通過が不可能な幅の縦柵からなる上部パネルを取り付けたので、大小いずれの動物の侵入も防止することができる。更に、前記下部パネルの下端部を地中に埋設して下部パネルの下端と地面との隙間をなくしたので、犬や猫やタヌキ等の小動物が地中に穴を掘って侵入してくるのを防止することもできる。
【００１３】
請求項２に係る考案では、上部パネルの両側端部には、他の部分の幅よりも狭い間隔で縦柵を設けた取り付け位置の調整部が形成されているので、支柱の間隔に誤差があっても、調整部を利用して寸法調整を簡単に行うことができる。
【００１４】
また、請求項３に係る考案では、下部パネルは、小動物の通り抜けを防止可能な縦柵状のもの、あるいは細かい菱形網目としたので、大小いずれの動物の侵入も防止することができる。
【００１５】
また、請求項４に係る考案では、隣接する２つのパネルの側端部分は、Ｕ字ボルトにより支柱に固定されているものとしたので、パネルを簡単かつ強固に固定することが可能となる。
【００１６】
また、請求項５に係る考案では、１本の支柱に上部パネルと下部パネルが取り付けられており、簡単な構造で設備費用を安価なものとすることができ、更に、請求項６に係る考案のように、下部パネル取り付け用の支柱に、上部パネル取り付け用の補助支柱が連結され、この補助支柱に上部パネルが取り付けられている場合は、既存のフェンス設備をそのまま利用できるので、より安価なものとすることができる。
【図面の簡単な説明】
【００１７】
【図１】本考案の実施の形態を示す正面図である。
【図２】パネル取り付け時における寸法調整を示す説明図である。
【図３】パネル取り付け時における寸法調整を示す説明図である。
【図４】パネルの支柱への取り付け状態を示す要部の斜視図である。
【図５】図４のＡ−Ａ断面図である。
【図６】その他の実施の形態を示す正面図である。
【図７】（ａ）その他の実施の形態を示す正面図、（ｂ）その側面図である。
【考案を実施するための形態】
【００１８】
以下に、図面を参照しつつ本考案の好ましい実施の形態を示す。
図１は、高速道路の側部に設置した動物侵入防止用フェンスの正面図である。図において、１は道路の側部に沿って所定間隔で立設された丸パイプ状の支柱であり、図示のものでは支柱１の地上高さは２．５ｍ、各支柱１、１の間隔は２ｍである。この支柱１は、下端部を地中に埋め込んだ支持管２内に挿入されたうえ、コンクリートが流し込まれて固定されている。なお、２０は地面である。
【００１９】
前記支柱１、１間には、小動物の通り抜けを防止する下部パネル３が取り付けられているとともに、この下部パネル３の上側には大型動物の頭部の通過が不可能な幅の縦柵からなる上部パネル４が取り付けられている。
下部パネル３は、犬や猫やタヌキ等の小動物の通り抜けを防止するに十分な狭い間隔の格子構造からなるものであり、図示のものでは５ｃｍ間隔の縦柵３ａ、３ａと、適宜な間隔で配置した補強用の横柵３ｂ、３ｂから構成されている。この下部パネル３は、小動物の通り抜けを防止するためであり、その高さは１．５ｍあれば十分である。
下部パネル３としては、図１に示すものの他、図６に示すように、細かい菱形網目のものとすることもできるが、コスト面からみると図１に示すものが安価で有利である。
【００２０】
上部パネル４は、鹿や猪等の大型動物が前記下部パネル３を飛び越えて高速道路側へ侵入するのを防止するものであり、大型動物の頭部の通過が不可能な幅の縦柵４ａ、４ａで構成されている。
これは、本発明者が研究した結果、鹿等は頭部が通過すると更に前へ前へと突き進む性質があることがわかり、頭部の通過を不可能にすれば前進を諦めさせ鹿等の侵入を防止できることを究明し、上記構造のパネルを開発した。従って、縦柵４ａ、４ａ間の幅は鹿の頭部が約１５ｃｍであるから、それ以下、好ましくは約１０ｃｍの幅とする。このように下部パネル３よりも縦柵間の幅が大きいものとすることで、大幅なコスト低減を図ることができる。なお、補強用の横柵４ｂ、４ｂを適宜設けることができ、図示のものでは３０ｃｍ間隔で横柵４ｂが設けてある。また、上部パネル４の上端の地上高さは約２．５ｍあれば鹿等が飛び越えて侵入するのを十分に防ぐことができ、図示のものでは下部パネル３の上端と１０ｃｍの間隔を空けて高さ９０ｃｍの上部パネル４が取り付けてある。
なお、上部パネル４は主に縦柵４ａで形成されていて横柵４ｂが少ないため、鹿等が横柵４ｂに脚を引っ掛けて跳躍するのも有効に防止できる。
【００２１】
更に、前記下部パネル３の下端部は地中に埋設されて下部パネル３の下端と地面２０との間に隙間が生じないよう構成されている。これにより、従来のように前記隙間を通過して犬や猫やタヌキ等の小動物が高速道路内に侵入するのを防止し、また、下端部を約１５ｃｍほど地中に埋設したことで犬や猫やタヌキ等の小動物が地中に穴を掘って侵入してくるのも防止することができる。
この下部パネル３の下方部は、規格サイズとしたパネルに別成形した埋設用のパネルを連結付加したものであっても、全体を一体成形したものであってもよい。
【００２２】
また、前記上部パネル４の両側端部には、他の部分の幅よりも狭い間隔で縦柵４ａを設けた取り付け位置の調整部５が形成されている。
各支柱１は広い山中に立設されるものであり、これらの支柱間に規格サイズのパネルを取り付けた場合、支柱間隔に寸法誤差があるとパネル幅が不足等して取付作業が難しくなるという問題があるため、本考案では前記調整部５により幅調整して容易に取り付けができるようにしている。
【００２３】
具体的には、図２〜図３に示すように、上部パネル４の両側端部に、他の部分の幅よりも狭い間隔で縦柵４ａを設けた取り付け位置の調整部５を形成しておく。例えば、図示のものでは前記調整部５は縦柵４ａが５ｃｍ間隔で設けられ、他の部分は縦柵４ａが１０ｃｍ間隔で設けられており、上部パネル４としては調整部５の幅が両側端部に１０ｃｍ、その他の部分が１９０ｃｍで、全体幅の長さが２１０ｃｍ、高さが９０ｃｍのパネルとなっている。
そして、このようなパネルでは、図２に示されるように、支柱間隔とパネル幅に寸法誤差がない場合は隣接するパネル同士の側端部を突き合せるようにパネルを支柱に取り付ける。一方、図３に示すように、支柱間隔とパネル幅に寸法誤差がある場合（図示の場合は、パネル幅が不足）は、隣接するパネル同士を不足分（図中の距離：Ｌ）だけ離した状態とし、調整部５の狭い間隔状態にある縦柵４ａを利用してパネルを支柱に取り付ける。これにより、別の連結部材等を準備しなくても簡単に寸法調整を行えることとなる。なお、パネル幅が余っている場合は、調整部５を重ね合わせた状態で取り付ければよい。
【００２４】
また、図４〜図５に示すように、隣接する２つのパネルの側端部分は、Ｕ字ボルト６により支柱１に固定されている。７はナット、８は固定用プレートであり、パネルを支柱１と固定用プレート８の間に挟持することにより現場で簡単に組み立てることができるよう構成されている。このようなＵ字ボルトとナット、および固定用プレートは、図示のものに限定されるものでなく、一般的なあらゆるタイプのものを使用することができる。
なお、以上に説明した取り付け位置の調整部５やＵ字ボルト６による取り付けの構成は、上部パネル４だけでなく下部パネル３にも同様に適用することができるものである。
【００２５】
図６〜図７は、その他の実施例を示すものである。
図６は、一般的な細かい菱形網目からなる下部パネル３に、図１に示した上部パネル４を組み合わせた例を示すものである。図１や図６に示した例では、１本の支柱１に下部パネル３と上部パネル４が取り付けられた構造となっている。
【００２６】
また図７は、既に設置されている下部パネル３のみからなるフェンスに、図１に示した上部パネル４を組み合わせた例を示すものである。この場合は、下部パネル取り付け用の支柱１に、上部パネル取り付け用の補助支柱１ａが連結され、この補助支柱１ａに上部パネル４が取り付けられた構造となっている。なお、補助支柱１ａは取付ブラケット９により支柱１に装着してある。
【００２７】
以上のように構成した本考案のフェンスでは、小動物の通り抜けを防止用の下部パネルと、大型動物の飛び越え防止用の縦柵からなる上部パネルを取り付けたので、小動物から大型動物まで高速道路内へ侵入するのを確実に防止できることとなり、更には、前記下部パネルの下端部を地中に埋設したので、地中に穴を掘って侵入してくる動物も防ぐことができる。また、設置費用も安価にすることができるうえ、現場での組立作業も簡単かつ効率的に行うことができるという利点もある。
【符号の説明】
【００２８】
１  支柱
１ａ  補助支柱
２  支持管
３  下部パネル
４  上部パネル
５  調整部
６  Ｕ字ボルト
７  ナット
８  固定用プレート
９  取付ブラケット
２０  地面
【図１】
0003152584.tif 000003
【図２】
0003152584.tif 000004
【図３】
0003152584.tif 000005
【図４】
0003152584.tif 000006
【図５】
0003152584.tif 000007
【図６】
0003152584.tif 000008
【図７】
0003152584.tif 000009